(57)【要約】【課題】貯蔵プールの周囲に堤防や排水溝を設けることなく、貯蔵プールの溢水を確実に防止できる貯蔵プール設備および溢水防止方法を提供すること。【解決手段】本発明では、原子力発電プラントから排出される使用済燃料など、放射性同位元素を含む部材を貯蔵プール内に浸漬貯蔵する貯蔵プール設備において、貯蔵プール４の水位が水面変動によって限界水位を超過したと判定した場合或いは超過すると判定した場合に限界水位の超過信号を出力する水位監視手段３６と、この水位監視手段３６から限界水位の超過信号が出力されたときに、貯蔵プール４の平常時水位よりも下方に位置するプール水充填領域を拡大して貯蔵プール４の水位を降下させる水位調節手段（２１〜２３）と、を備えるようにした。【選択図】  図１
2010085367.tif 000002
【特許請求の範囲】
【請求項１】
放射性同位元素を含む部材を貯蔵プール内に浸漬貯蔵する貯蔵プール設備において、
前記貯蔵プールの水位が水面変動によって限界水位を超過したと判定した場合或いは超過すると判定した場合に限界水位の超過信号を出力する水位監視手段と、
前記水位監視手段から限界水位の超過信号が出力されたときに、貯蔵プールの平常時水位よりも下方に位置するプール水充填領域を拡大して貯蔵プールの水位を降下させる水位調節手段と、
を備えることを特徴とする貯蔵プール設備。
【請求項２】
前記水位調節手段は、
前記貯蔵プールの平常時水位よりも下方に位置する内側面に沿って設けられ、空気の給排気口が設けられた空気袋と、
前記空気袋の給排気口に接続されて空気袋から排気され或いは空気袋に供給される空気が案内される給排気配管と、
前記限界水位の超過信号を受信したときに給排気配管を通じて空気袋から空気を排気し、操作信号を受けて給排気配管を通じて空気袋に空気を供給する給排気装置と、
を有することを特徴とする請求項１記載の貯蔵プール設備。
【請求項３】
前記空気袋の少なくとも頂部に放射線遮蔽体が設けられ、その空気袋の底部に空気袋が貯蔵プールに浸漬されるよう重量調節された錘が設けられることを特徴とする請求項２記載の貯蔵プール設備。
【請求項４】
前記水位調節手段は、
前記貯蔵プールの平常時水位よりも下方に位置する内壁面に排水口が設定された排水路を有し、この排水路により貯蔵プールと連通してプール水が案内される貯留槽と、
前記排水路を閉塞するように設けられ、前記限界水位の超過信号を受信したときに排水路を開放するシャッタ装置と、
前記排水路により貯留槽に案内されたプール水を汲み上げて貯留プールに戻すプール水還流装置と、
を有することを特徴とする請求項１記載の貯蔵プール設備。
【請求項５】
前記シャッタ装置は、
排水口の開口面を摺動により開閉可能なシャッタ板と、このシャッタ板に取り付けられるワイヤと、
限界水位の超過信号を受信したときにそのワイヤを巻き取るシャッタ駆動制御部と、
前記排水口の開口淵部に設けられてシャッタ板が排水口を閉鎖した状態でこのシャッタ板を保持するストッパと、
を有することを特徴とする請求項４記載の貯蔵プール設備。
【請求項６】
前記水位監視手段は、貯蔵プールの水位を計測する水位計を有し、計測した水位が所定値を超えていると判定した場合に、限界水位の超過信号を出力すること特徴とする請求項１ないし５の何れか１項に記載の貯蔵プール設備。
【請求項７】
前記水位監視手段は、貯蔵プール設備の運転床の加速度を計測する加速度計を有し、計測した加速度が所定値を超えていると判定した場合に、限界水位の超過信号を出力すること特徴とする請求項１ないし５の何れか１項に記載の貯蔵プール設備。
【請求項８】
前記水位監視手段は、貯蔵プール設備から離れた位置の震度を計測する震度計を有し、計測した震度が所定値を超えていると判定した場合に、限界水位の超過信号を出力すること特徴とする請求項１ないし５の何れか１項に記載の貯蔵プール設備。
【請求項９】
前記水位監視手段は、
貯蔵プールの水位を計測する水位計と、貯蔵プール設備の運転床の加速度を計測する加速度計と、貯蔵プール設備から離れた位置の震度を計測する震度計と、を有し、
前記計測した水位、加速度、震度のうち少なくとも１つが所定値を超えていると判定した場合に、限界水位の超過信号を出力することを特徴とする請求項１ないし５の何れか１項に記載の貯蔵プール設備。
【請求項１０】
前記貯蔵プールの水位が水面変動によって限界水位を超過したと判定した場合或いは限界水位を超過すると判定した場合に、注意を喚起する警報装置を備えたことを特徴とする請求項１ないし９の何れか１項に記載の貯蔵プール設備。
【請求項１１】
放射性同位元素を含む部材を貯蔵プール内に浸漬貯蔵する貯蔵プール設備を対象とした溢水防止方法において、
水面変動によって貯蔵プールから溢水する可能性がある場合に、前記貯蔵プールの平常時水位よりも下方に位置するプール水充填領域を拡大して貯蔵プールの水位を降下させることを特徴とする貯蔵プールの溢水防止方法。
【請求項１２】
前記プール水充填領域にプール水が浸入せず且つ容積可変な浸漬体を配置しておき、貯蔵プールの溢水可能性がある場合に、この浸漬体の容積を縮減させることでプール水充填領域を拡大することを特徴とする請求項１１記載の貯蔵プールの溢水防止方法。
【請求項１３】
前記浸漬体の少なくとも頂部に放射線遮蔽措置を設けることを特徴する請求項１２記載の貯蔵プールの溢水防止方法。
【請求項１４】
前記貯蔵プールの平常時水位よりも下方に位置する内壁面に排水口を設定した排水路を設け、
水面変動によって貯蔵プールの溢水可能性があるときは、この排水路からプール水を一時的に排水し、
前記排水の後貯蔵プールの溢水可能性がなくなったときは、排水したプール水を貯蔵プールに戻すことを特徴とする請求項１１記載の貯蔵プールの溢水防止方法。
【発明の詳細な説明】
【技術分野】
【０００１】
本発明は、原子力発電プラントから排出される使用済燃料など、放射性同位元素を含む部材を貯蔵プール内に浸漬貯蔵する貯蔵プール設備および貯蔵プールの溢水防止方法に関する。
【背景技術】
【０００２】
原子炉の使用済燃料は、核分裂生成物の崩壊により発熱するため処理・処分の工程で放射能が弱まるまで貯蔵プールにて一時的に貯蔵される。したがって、この貯蔵プールのプール水は放射性同位元素を含有し、地震時に水面変動が生じたとき、貯蔵プールの外部にプール水が溢れ出て貯蔵プール設備の周辺汚染が危惧される。
【０００３】
従来、貯蔵プール設備に対して溢水防止策が強く求められており、以下に列挙する貯蔵プール設備を対象とした溢水防止技術が提案されてきた。
【０００４】
(1) 貯蔵プールの水面近傍に浸漬可能で且つ貯蔵プールの側壁に収納可能な水平平板を設けると共に貯蔵プール内で水面変動が発生したときに限定してその水平平板を引き出すようにし、貯蔵プール設備の作業性を損なうことなく貯蔵プールからプール水が溢れ出ることを抑制する溢水防止技術（例えば、特許文献１参照）。
【０００５】
(2) 貯蔵プールの周囲に堤防を設けると共に貯蔵プール設備の運転床から水槽に向かう排水溝を設け、貯蔵プールからプール水が溢れ出ることを防止すると共にプール水が溢れ出たときでも運転床上へのプール水散逸を抑制する貯蔵プール設備（例えば、特許文献２参照）。
【０００６】
(3) 貯蔵プールの周囲に堤防を設けると共に水面の上昇に応じてその堤防の高さを調節できるようにし、貯蔵プールからプール水が溢れ出ることを防止する貯蔵プール設備（例えば、特許文献３参照）。
【特許文献１】特開平８−１０１２９６号公報
【特許文献２】特開２００７−１６３２０４号公報
【特許文献３】特開２００６−３２９７９９号公報
【発明の開示】
【発明が解決しようとする課題】
【０００７】
特許文献１で説明される貯蔵プール設備にあっては、水面変動を低減できるに留まり、貯蔵プールの溢水を確実に防止することはできない。特許文献２および特許文献３で説明される貯蔵プール設備にあっては、貯蔵プールの周囲に堤防等が設けられるため、貯蔵プールの溢水を確実に防止できるものの貯蔵プール設備において重要となる運転床における作業性が損なわれる。
【０００８】
本発明は上記事情に鑑みてなされたもので、貯蔵プールの周囲に堤防や排水溝を設けることなく、貯蔵プールの溢水を確実に防止できる貯蔵プール設備および貯蔵プールの溢水防止方法を提供することを目的とする。
【課題を解決するための手段】
【０００９】
上述した目的を達成するため、本発明に係る貯蔵プール設備では、原子力発電プラントから排出される使用済燃料など、放射性同位元素を含む部材を貯蔵プール内に浸漬貯蔵する貯蔵プール設備において、前記貯蔵プールの水位が水面変動によって限界水位を超過したと判定した場合或いは超過すると判定した場合に限界水位の超過信号を出力する水位監視手段と、前記水位監視手段から限界水位の超過信号が出力されたときに、貯蔵プールの平常時水位よりも下方に位置するプール水充填領域を拡大して貯蔵プールの水位を降下させる水位調節手段と、を備えることを特徴とする。
【００１０】
また、本発明に係る貯蔵プールの溢水防止方法では、原子力発電プラントから排出される使用済燃料などの放射性同位元素を含む部材を貯蔵プール内に浸漬貯蔵する貯蔵プール設備を対象とした溢水防止方法において、水面変動によって貯蔵プールから溢水する可能性がある場合に、前記貯蔵プールの平常時水位よりも下方に位置するプール水充填領域を拡大して貯蔵プールの水位を降下させることを特徴とする。
【発明の効果】
【００１１】
本発明によれば、貯蔵プールの周囲に堤防や排水溝を設けることなく、貯蔵プールの溢水を確実に防止できる。
【発明を実施するための最良の形態】
【００１２】
本発明に係る貯蔵プール設備および貯蔵プールの溢水防止方法の実施形態を、添付図面を参照して説明する。
【００１３】
[第１実施形態]
図１および図２は本発明に係る貯蔵プール設備の第１実施形態を示す構成図である。図１は貯蔵プール設備の縦断面図、図２は貯蔵プール設備の俯瞰図である。
【００１４】
本実施形態の貯蔵プール設備１は、原子力発電プラントから排出される使用済燃料など、放射性同位元素を含む部材を浸漬貯蔵する貯蔵プール設備である。この貯蔵プール設備１は、図１および図２に示すように、水位調節手段（２１〜２３）と、水位監視手段（３１〜３５）と、を備える。なお、図１において、４は貯蔵プール、４１は貯蔵プールの内壁面、４２は貯蔵プールの底面、４３は貯蔵プール設備１の運転床、５１は貯蔵プール４の平常時の水面（平常時水位）、６は使用済燃料である。
【００１５】
〔水位調節手段〕
貯蔵プール設備１の水位調節手段（２１〜２３）は、水位監視手段から限界水位の超過信号の入力を受けたときに、貯蔵プール４の水面５１（平常時水位）よりも下方に位置するプール水充填領域を拡大して貯蔵プール４の水位を降下させる。なお、限界水位は、地震による貯蔵プールからの溢水可能性を勘案して設定される。この水位調節手段は、図１に示すように、空気袋２１と、給排気配管２２と、給排気装置２３とにより構成される。
【００１６】
水位調節手段の空気袋２１は、図１および図２に示すように、使用済燃料６の配置スペースを確保しつつ、貯蔵プール４の水面５１（平常時水位）よりも下方で且つ内壁面４１に沿って複数設けられる。なお、空気袋２１の形状は、特に制限はなく直方体や円筒形などに設定される。
【００１７】
空気袋２１の内部上方には、放射線遮蔽体２４が設けられる。この放射線遮蔽体２４は、水平配置された金属平板と鉛直配置された金属平板とが、互いに分離してＬ字を形成するように設けられる。一方、空気袋２１の内部下方には、この空気袋２１が貯蔵プール４に浸漬されるよう重量調節された錘２５が設けられる。また、空気袋２１の頂部には、図２に示すように、空気の給排気口２６が設けられる。
【００１８】
水位調節手段の給排気配管２２は、一側が給排気装置２３に接続されると共に他側が各空気袋２１の給排気口２６に接続されて、空気袋２１に給気し或いは空気袋２１から排気する用に供される。
【００１９】
水位調節手段の給排気装置２３は、コンプレッサ（不図示）を有して構成され、貯蔵プール設備１のオペレータによる操作を受け、給排気配管２２を通じて空気袋２１に空気を圧送する。この給排気装置２３は、各空気袋２１ごとに設けられる。また、給排気装置２３は、限界水位の超過信号の入力を受けたとき、または、水位降下信号の入力を受けたとき、給排気配管２２を通じて空気袋２１から空気を排気する。具体的に説明すると、給排気装置２３の内部には電磁弁（不図示）が設けられており、排気にあっては、コンプレッサを停止させると共に電磁弁を開放することにより行われる。なお、この排気にあっては、排気速度が増すよう、給排気装置２３に空気吸引機を設けてもよい。
【００２０】
〔水位監視手段〕
貯蔵プール設備１の水位監視手段３６は、貯蔵プール４の水位が水面変動によって限界水位を超過し或いは超過するおそれがある場合に、水位調節手段の給排気装置２３に対し限界水位の超過信号を入力する。この水位監視手段３６は、図１および図２に示すように、水位計３１と、加速度計３２と、震度計３３と、手動入力手段３４と、本体３５とにより構成される。
【００２１】
水位監視手段３６の水位計３１は、貯蔵プール４の水位を計測し、その水位を示す水位データを出力する。加速度計３２は、貯蔵プール設備１の運転床４３など貯蔵プール４の近傍に設置され、地震などによる貯蔵プール４周辺の揺れ加速度を計測し、その加速度を示す加速度データを出力する。震度計３３は、貯蔵プール設備１の遠隔地に設けられ、貯蔵プール設備１の遠隔地の震度を計測し、その震度を示す震度データを出力する。いずれの計測器も公知の技術により構成される。手動入力手段３４は、オペレータの操作を受け、水位降下信号を出力する。この水位降下信号は、水位調節手段の給排気装置２３に対して貯蔵プール４の水位を降下させるための要求信号であり、限界水位の超過信号と同様の役割を担う。
【００２２】
図３は貯蔵プール設備１における水位監視手段の機能ブロック図である。図３において、３１は水位計、３２は加速度計、３３は震度計、３４は手動入力手段、３５は本体である。
【００２３】
水位監視手段３６の本体３５は、図３に示すように、水位計３１、加速度計３２、震度計３３から、それぞれ水位データ、加速度データ、震度データの入力を受ける。そして、入力を受けた水位データ、加速度データ、震度データが所定値を超えているか否かを判定する。少なくとも１つのデータが所定値を超えていると判定した場合、限界水位の超過信号を水位調節手段の給排気装置２３に入力する。また、手動入力手段３４から水位降下信号の入力を受けた場合は、この水位降下信号を水位調節手段の給排気装置２３に入力する。
【００２４】
次に、貯蔵プール設備１の作用を説明する。
【００２５】
（作業性と溢水防止との両立）  図４は貯蔵プール４の作用説明図である。従来、貯蔵プール設備にあっては、貯蔵プールの全周囲に堤防や排水溝を築くことで貯蔵プール施設からの溢水防止が図られ、貯蔵プール設備の運転床における作業性低下が問題となっていた。これに対し、貯蔵プール設備１では、地震などで誘起される水面変動により貯蔵プール４からプール水が溢れ出す可能性がある場合、貯蔵プール４の平常時水位よりも下方に位置するプール水充填領域が拡大され、貯蔵プール４の水位が降下する。すなわち、貯蔵プール設備１では、貯蔵プール４のプール水充填領域にプール水が浸入せず且つ容積可変な空気袋２１などの浸漬体が配置されており、この浸漬体の容積が縮減されてプール水充填領域が拡大され、貯蔵プール４の水位が降下する。加えて、従来の貯蔵プール設備のように単に水面変動を低減するに留まるものではなく、貯蔵プール４からの溢水を直接的に防止するものである。その結果、貯蔵プール４の周囲に堤防等を設ける従来の構成を採用することなく、貯蔵プールの溢水を確実に防止できるようになる。
【００２６】
また、貯蔵プール設備１では、貯蔵プール４の水位、貯蔵プール４周辺の加速度および貯蔵プール４遠隔地の震度という、貯蔵プール４の水面変動の原因となる複数種の物理量がプール水の溢水可能性の指標として用いられる。すなわち、各指標の何れかの指標が所定値を超えた場合に、貯蔵プール４のプール水充填領域が拡大される。そのため、いずれかの計測器が故障して作動しないような場合であっても溢水可能性が判断され、高い信頼性の下で溢水防止を図ることができる。なお、貯蔵プール設備１では、オペレータの手動操作によっても貯蔵プール４の水位が降下するように構成されており、溢水防止を目的とするもののほか、作業上の目的で貯蔵プール４の水位を降下させることもできる。
【００２７】
（放射線遮蔽の維持）  貯蔵プール４のプール水は、浸漬貯蔵される使用済燃料由来の中性子線等の放射線を遮蔽する機能を担う。貯蔵プール４内に浸漬体（たとえば空気袋２１）を沈めると、貯蔵プール４の内部にプール水が充填されない領域が形成され、貯蔵プール４の水面上方の線量増加が懸念される。この問題に対し、貯蔵プール設備１では、貯蔵プール４に浸漬体などが設けられた場合であっても十分な放射線遮蔽機能が維持されるように水位設定され、加えて、浸漬体に放射線遮蔽体２４などの放射線遮蔽措置が設けられる。このため、プール水の持つ放射線遮蔽機能を維持しつつ、作業性と溢水防止との両立を図ることができるようになる。
【００２８】
次に、貯蔵プール設備１の効果を説明する。
【００２９】
貯蔵プール設備１は、
(1) 水面変動によって貯蔵プール４から溢水する可能性がある場合に、貯蔵プール４の平常時水位よりも下方に位置するプール水充填領域を拡大して貯蔵プールの水位が降下するように構成される。このため、貯蔵プールの周囲に堤防や排水溝を設けることなく、貯蔵プールの溢水を確実に防止できる。
【００３０】
(2) プール水充填領域にプール水が浸入せず且つ容積可変な浸漬体が配置され、水面変動によって貯蔵プール４から溢水する可能性がある場合に、この浸漬体の容積が縮減することによりプール水充填領域が拡大されるように構成される。このため、既存の貯蔵プール４に求められる所期の機能を損なうことなく、(1)の効果を得ることができる。
【００３１】
(3) 上記浸漬体の少なくとも頂部に射線遮蔽措置が設けられるため、プール水の持つ放射線遮蔽機能を損なうことなく、(1)の効果を得ることができる。
【００３２】
(4) 貯蔵プール４の水面変動の原因となる複数種の物理量がプール水の溢水可能性の指標として用いられ、何れかの指標が所定値を超えた場合にプール水充填領域が拡大されるように構成される。このため、高い信頼性の下、(1)の効果を得ることができる。
【００３３】
[第２実施形態]
図５〜図７は本発明に係る貯蔵プール設備の第２実施形態を示す構成図である。図５は貯蔵プール設備の断面図、図６は貯蔵プール設備の俯瞰図である。図７は貯蔵プール設備の要部拡大図である。
【００３４】
第２実施形態は、第１実施形態の貯蔵プール設備１において水位調節手段の構成を変更した例である。なお、第１実施形態と同様の構成は、同一符号を付して説明を省略し、第１実施形態の構成を変更し或いは新たに追加した構成は、符号末尾に「Ａ」を付して説明する。
【００３５】
本実施形態の貯蔵プール設備１Ａは、図５および図６に示すように、水位調節手段（２６Ａ、２７１Ａ〜２７３Ａ、２８１Ａ〜２８３Ａ）を備える。
【００３６】
本実施形態の水位調節手段は、第１実施形態の水位調節手段と同様に、水位監視手段３６から限界水位の超過信号の入力を受けたときに、貯蔵プールの平常時水位よりも下方に位置するプール水充填領域を拡大して貯蔵プールの水位を降下させる。この水位調節手段は、貯留槽２６Ａ（図５参照）と、シャッタ装置（２７１Ａ〜２７３Ａ）（図７参照）と、プール水還流装置（２８１Ａ〜２８３Ａ）（図５参照）とにより構成される。
【００３７】
水位調節手段の貯留槽２６Ａは、図５に示すように、貯蔵プール４の平常時水位よりも下方に位置する内壁面４１に排水口２６１Ａが設定された排水路２６２Ａを有する。貯留槽２６Ａは、排水路２６２Ａにより貯蔵プール４と連通し、プール水が案内されるように構成される。この貯留槽２６Ａは、図５および図６に示すように、貯蔵プール４の運転床４３に埋設される。
【００３８】
水位調節手段のシャッタ装置は、通常は排水路２６２Ａを閉塞しているが、限界水位の超過信号を受信したときに排水路２６２Ａを開放する。なお、限界水位の超過信号は、第１実施形態と同様のプロセスに従い生成される。また、排水路２６２Ａの開放後は、オペレータによる操作を受け、その排水路２６２Ａを閉鎖する。このシャッタ装置は、図７に示すように、シャッタ板２７１Ａと、ワイヤ２７２Ａと、シャッタ駆動制御部２７３Ａとにより構成される。
【００３９】
シャッタ装置のシャッタ板２７１Ａは、図７に示すように、その上部にワイヤ２７２Ａが取り付けられ、ワイヤ２７２Ａの上下移動により排水口２６１Ａを摺動しながら開閉するように設けられる。なお、図７において、(a)はシャッタ板２７１Ａが排水口２６１Ａを閉鎖した状態を示す図であり、(b)はシャッタ板２７１Ａが排水口２６１Ａを開放した状態を示す図である。
【００４０】
シャッタ装置のシャッタ駆動制御部２７３Ａは、限界水位の超過信号を受信したときにワイヤ２７２Ａを巻き取り、オペレータによる操作を受けてそのワイヤ２７２Ａを巻き解く。図７の７Ａはストッパである。このストッパ７Ａは、貯蔵プール設備１の内壁面４１に設けられると共に貯蔵プール４の内壁面４１から突設したＬ字型に形状設定され、ストッパ７Ａから下方向および貯蔵プール４の内側方向へのシャッタ板２７１Ａの移動を制止する。
【００４１】
シャッタ装置のプール水還流装置は、図５および図６に示すように、排水装置２８１Ａと、吸込側配管２８２Ａと、吐出側配管２８３Ａとにより構成される。このプール水還流装置は、オペレータによる操作を受け、吸込側配管２８２Ａを通じて貯留槽２６Ａに案内されたプール水を汲み上げ、汲み上げたプール水を吐出側配管２８３Ａを通じて貯蔵プール４に戻す。なお、貯蔵プール設備１Ａにおいて、貯留槽２６Ａの内部に充満してプール水由来の放射性同位元素を含有する気体を吸い上げて貯蔵プール４に戻す機構を設けることもできる。
【００４２】
次に、貯蔵プール設備１Ａの作用を説明する。
【００４３】
（作業性と溢水防止との両立）図８は貯蔵プール設備１Ａの作用説明図である。貯蔵プール設備１Ａにあっては、地震などで誘起される水面変動によって貯蔵プール４からプール水が溢れ出す可能性があるとき、水面５１（平常時水位）よりも下方に位置する排水口２６１Ａが開放される。したがって、プール水は排水路２６２Ａを通って一時的に貯留槽２６Ａに蓄えられ、貯蔵プール４の水位が降下する。図８において、５２はプール水の排水が行われたときの水面である。なお、この排水が行われた後貯蔵プール４から溢水する可能性がなくなったとき、オペレータの操作を受けて排水されたプール水が貯蔵プール４に戻される。貯蔵プール設備１Ａでは、従来の貯蔵プール設備のように単に水面変動が低減されるだけでなく、貯蔵プール４からの溢水が直接的に防止される。その結果、貯蔵プール４の周囲に堤防や排水溝を設けることなく、貯蔵プールの溢水を確実に防止できる。なお、他の作用は第１実施形態と同様であるので、説明を省略する。
【００４４】
（貯蔵スペースの確保）貯蔵プール設備１Ａの貯留槽２６Ａは、貯蔵プール設備１Ａの運転床４３の下に埋設される。このため、第１実施形態の溢水防止方法と異なり、溢水防止を構じても使用済燃料６の浸漬貯蔵領域が侵食されることがない。
【００４５】
次に、貯蔵プール設備１Ａの効果を説明する。
【００４６】
貯蔵プール４にあっては、第１実施形態の(1)の効果に加え、
(5) 貯蔵プール４の平常時水位よりも下方に位置する内壁面４１に排水口２６１Ａを設定した排水路２６２Ａが設けられて、貯蔵プールから溢水する可能性があるとき、この排水路２６２Ａからプール水が一時的に排水されるように構成される。このため、貯蔵プールの周囲に堤防や排水溝を設けることなく且つ使用済核燃料等の浸漬貯蔵スペースを損なうことなく、貯蔵プールの溢水を確実に防止できる。
【００４７】
以上、本発明に係る貯蔵プール設備を第１実施形態および第２実施形態に基づき説明してきたが、具体的な構成については、これらの実施形態に限られるものではなく、本発明の要旨を逸脱しない限り、設計の変更や追加等は許容される。
【００４８】
例えば、貯蔵プールの水位が水面変動によって限界水位を超過したと判定した場合或いは限界水位を超過すると判定した場合に、注意を喚起する警報装置を備えるようにしてもよい。
【図面の簡単な説明】
【００４９】
【図１】本発明に係る貯蔵プール設備の第１実施形態の縦断面図。
【図２】本発明に係る貯蔵プール設備の第１実施形態の俯瞰図。
【図３】貯蔵プールからの溢水可能性を判定する水位監視手段の機能ブロック図。
【図４】貯蔵プール設備の作用説明図。
【図５】本発明に係る貯蔵プール設備の第２実施形態の縦断面図。
【図６】本発明に係る貯蔵プール設備の第２実施形態の俯瞰図。
【図７】本発明に係る貯蔵プール設備の第２実施形態の要部説明図で、(a)はシャッタ板の閉成状態を示す要部図、(b)はシャッタ板の開成状態を示す要部図。
【図８】貯蔵プール設備の作用説明図。
【符号の説明】
【００５０】
１、１Ａ…貯蔵プール設備，２１〜２３…水位調節手段，２１…空気袋，２２…給排気配管，２３…給排気装置，２４…放射線遮蔽体，２５…錘，３６…水位監視手段,３１…水位計，３２…加速度計，３３…地震計，３４…手動入力手段，３５…本体，４…貯蔵プール，４１…貯蔵プールの内壁面，４２…貯蔵プールの底面，４３…貯蔵プール設備の運転床，５１…貯蔵プールの水面（平常時の水位），５２…貯蔵プールの水面（溢水可能性のある場合の水位），６…使用済燃料，２６Ａ…貯留槽，２６１Ａ…排水口，２６２Ａ…排水路，２７Ａ…シャッタ装置，２７１Ａ…シャッタ板，２７２Ａ…ワイヤ，２７３Ａ…シャッタ駆動制御部，７Ａ…ストッパ，２８Ａ…プール水還流装置，２８１Ａ…排水装置，２８２Ａ…吸込側配管，２８３Ａ…吐出側配管，２９Ａ…排気装置．なお、符号末尾の「Ａ」は第２実施形態に関わる。
【図１】
2010085367.tif 000003
【図２】
2010085367.tif 000004
【図３】
2010085367.tif 000005
【図４】
2010085367.tif 000006
【図５】
2010085367.tif 000007
【図６】
2010085367.tif 000008
【図７】
2010085367.tif 000009
【図８】
2010085367.tif 000010